【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示に関する情報を保留記憶として記憶可能な保留記憶手段と、
前記保留記憶手段に記憶されている前記保留記憶を保留表示として表示する保留表示手段と、
前記有利状態に制御するか否かを決定する決定手段と、
前記決定手段の決定前に、前記有利状態に制御されるか否かを判定する判定手段とを備え、
前記保留表示の表示態様は、通常態様と、特殊態様と、第１特別態様と、第２特別態様と、を含み、
前記判定手段の判定結果に応じて、異なる割合で該判定手段の判定対象となった前記保留記憶に対応する前記保留表示を前記第１特別態様または前記第２特別態様に変化させる保留予告演出を実行可能な保留予告演出実行手段をさらに備え、
前記保留予告演出の演出パターンとして複数種類の保留予告演出パターンが設けられ、
前記保留予告演出実行手段は、複数のタイミングで前記保留表示を前記第１特別態様または前記第２特別態様に変化させて表示することが可能であり、
前記判定手段が前記有利状態に制御されると判定したときには、前記判定手段が前記有利状態に制御されないと判定したときに比べて高い割合で該判定手段の判定対象となった前記保留記憶に対応する前記保留表示を前記第２特別態様で表示し、
前記保留表示を前記特殊態様から前記第１特別態様または前記第２特別態様に変化させて表示する保留予告演出パターンで保留予告演出を行うときには、前記保留表示を前記特殊態様で表示することなく前記第１特別態様または前記第２特別態様で表示する保留予告演出パターンで保留予告演出を行うときに比べて高い割合で前記保留表示を前記第２特別態様で表示し、
新たな前記保留表示を表示するときに、該保留表示を前記第１特別態様または前記第２特別態様で表示可能である、遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能な遊技機に関する。
【手続補正３】
【補正対象書類名】明細書
【補正対象項目名】０００９
【補正方法】変更
【補正の内容】
【０００９】
（手段Ａ）本発明による遊技機は、可変表示（例えば、第１特別図柄や第２特別図柄、演出図柄の変動表示）を行い、遊技者にとって有利な有利状態（例えば、大当り遊技状態）に制御可能な遊技機であって、可変表示に関する情報を保留記憶（例えば、第１保留記憶や第２保留記憶）として記憶可能な保留記憶手段（例えば、第１保留記憶バッファや第２保留記憶バッファ）と、保留記憶手段に記憶されている保留記憶を保留表示として表示する保留表示手段（例えば、合算保留記憶表示部１８ｃ）と、有利状態に制御するか否かを決定する決定手段（例えば、遊技制御用マイクロコンピュータ５６０がステップＳ６１，Ｓ６２，Ｓ７３を実行する部分）と、決定手段の決定前に、有利状態に制御されるか否かを判定する判定手段（例えば、遊技制御用マイクロコンピュータ５６０がステップＳ１２１７，Ｓ１２２８を実行する部分）とを備え、保留表示の表示態様は、通常態様（本例では「○」：図４２（Ａ）参照）と、特殊態様（本例では「○」の外側に６本の線が描かれている：図４３（Ｂ）参照）と、第１特別態様（本例では「○」内に「×」が含まれる：図４２（Ｂ１）参照）と、第２特別態様（本例では「○」内に「×」が２つ含まれる：図４２（Ｂ２）参照）と、を含み、判定手段の判定結果に応じて、異なる割合で該判定手段の判定対象となった保留記憶に対応する保留表示を第１特別態様または第２特別態様に変化させる保留予告演出（例えば、先読み演出）を実行可能な保留予告演出実行手段（例えば、演出制御用マイクロコンピュータ１００がステップＳ６７１０６，Ｓ６７１１４，Ｓ１８１３，Ｓ１８４５等を実行する部分。図２９（Ｂ）参照）をさらに備え、保留予告演出の演出パターンとして複数種類の保留予告演出パターンが設けられ、保留予告演出実行手段は、複数のタイミング（例えば、始動入賞のタイミングや、任意のシフトタイミング、他の任意のタイミングなど）で保留表示を第１特別態様または第２特別態様に変化させて表示することが可能であり、判定手段が有利状態に制御されると判定したときには、判定手段が有利状態に制御されないと判定したときに比べて高い割合で該判定手段の判定対象となった保留記憶に対応する保留表示を第２特別態様で表示し（例えば、演出制御用マイクロコンピュータ１００がステップＳ６７１０６等を実行する部分。図２９（Ｂ）参照）、保留表示を特殊態様から第１特別態様または前記第２特別態様に変化させて表示する保留予告演出パターン（例えば、第２先読み演出パターン）で保留予告演出を行うときには、保留表示を特殊態様で表示することなく第１特別態様または第２特別態様で表示する保留予告演出パターン（例えば、第１先読み演出パターン）で保留予告演出を行うときに比べて高い割合で保留表示を第２特別態様で表示し（例えば、演出制御用マイクロコンピュータ１００がステップＳ６７１０６，Ｓ６７１０７等を実行する部分。図２９（Ｂ），図３０参照）、新たな保留表示を表示するときに、該保留表示を第１特別態様または第２特別態様で表示可能である。
そのような構成により、遊技興趣を向上させることができる。
【手続補正４】
【補正対象書類名】明細書
【補正対象項目名】００１０
【補正方法】変更
【補正の内容】
【００１０】
（手段１）本発明による他の遊技機は、遊技領域に設けられた始動領域（例えば、第１始動入賞口１３または第２始動入賞口１４）を遊技媒体（例えば、遊技球）が通過した後に開始条件（例えば、保留記憶数が０でない場合であって、第１特別図柄および第２特別図柄の可変表示が実行されていない状態であり、かつ、大当り遊技が実行されていない状態）が成立したことにもとづいて各々を識別可能な複数種類の識別情報の可変表示（例えば、第１特別図柄や第２特別図柄、演出図柄の変動表示）を行い、可変表示の表示結果としてあらかじめ定められた特定表示結果（例えば、大当り図柄）が導出表示されたときに遊技者にとって有利な特定遊技状態（例えば、大当り遊技状態）に制御する遊技機であって、始動領域を遊技媒体が通過したにもかかわらず未だ開始条件が成立していない可変表示について、所定の上限数（例えば、４）を限度に、保留記憶（例えば、第１保留記憶や第２保留記憶）として記憶可能な保留記憶手段（例えば、第１保留記憶バッファや第２保留記憶バッファ）と、保留記憶手段に記憶されている保留記憶を保留表示として表示する保留表示手段（例えば、合算保留記憶表示部１８ｃ）と、開始条件が成立したことにもとづいて、可変表示の表示結果を特定表示結果とするか否かを決定する事前決定手段（例えば、遊技制御用マイクロコンピュータ５６０がステップＳ６１，Ｓ６２，Ｓ７３を実行する部分）と、事前決定手段の決定前に、保留記憶手段に記憶されている保留記憶にもとづく可変表示の表示結果が特定表示結果となるか否かを判定する特定判定手段（例えば、遊技制御用マイクロコンピュータ５６０がステップＳ１２１７，Ｓ１２２８を実行する部分）とを備え、保留表示の表示態様は、通常態様（本例では「○」：図４２（Ａ）参照）と、該通常態様とは異なる態様である特殊態様（本例では「○」の外側に６本の線が描かれている：図４３（Ｂ）参照）と、該通常態様および該特殊態様とは異なる態様である第１特別態様（本例では「○」内に「×」が含まれる：図４２（Ｂ１）参照）と第２特別態様（本例では「○」内に「×」が２つ含まれる：図４２（Ｂ２）参照）とを含み、特定判定手段の判定結果に応じて、異なる割合で該特定判定手段の判定対象となった保留記憶に対応する保留表示を第１特別態様または第２特別態様に変化させる保留予告演出（例えば、先読み演出）を実行可能な保留予告演出実行手段（例えば、演出制御用マイクロコンピュータ１００がステップＳ６７１０６，Ｓ６７１１４，Ｓ１８１３，Ｓ１８４５等を実行する部分。図２９（Ｂ）参照）をさらに備え、保留予告演出実行手段は、複数のタイミング（例えば、始動入賞のタイミングや、任意のシフトタイミング、他の任意のタイミングなど）で保留表示を第１特別態様または第２特別態様に変化させて表示することが可能であり、特定判定手段が特定表示結果となると判定したときには、特定判定手段が特定表示結果とならないと判定したときに比べて高い割合で該特定判定手段の判定対象となった保留記憶に対応する保留表示を第２特別態様で表示し（例えば、演出制御用マイクロコンピュータ１００がステップＳ６７１０６等を実行する部分。図２９（Ｂ）参照）、保留表示を特殊態様から��１特別態様または前記第２特別態様に変化させて表示する保留予告演出パターン（例えば、第２先読み演出パターン）で保留予告演出を行うときには、保留表示を特殊態様で表示することなく第１特別態様または第２特別態様で表示する保留予告演出パターン（例えば、第１先読み演出パターン）で保留予告演出を行うときに比べて高い割合で保留表示を第２特別態様で表示し（例えば、演出制御用マイクロコンピュータ１００がステップＳ６７１０６，Ｓ６７１０７等を実行する部分。図２９（Ｂ），図３０参照）、識別情報の可変表示を実行するときに、当該可変表示に対応する保留表示を可変表示対応表示として表示する可変表示対応表示手段（例えば、演出制御用マイクロコンピュータ１００において、ステップＳ８０１により可変表示対応表示を行なう処理を実行する部分）と、識別情報の可変表示の実行中に、当該可変表示の表示結果が前記特定表示結果となるか否かに応じて、可変表示対応表示を通常態様とは異なる特別態様に変化させる対応表示予告演出を実行可能な対応表示演出実行手段（例えば、演出制御用マイクロコンピュータ１００において、ステップＳ８０１，Ｓ８０２等により可変表示対応表示の表示態様を変化させる処理を実行する部分）とをさらに備え、保留予告演出実行手段と、対応表示演出実行手段とで共通の演出（保留表示に作用可能な第１作用演出と可変表示対応表示に作用可能な第２作用演出とで、たとえば特定のキャラクタ画像のような少なくとも一部の演出態様を共通に用いた演出）を実行して保留表示または可変表示対応表示の態様を変化可能である。
そのような構成により、複数のタイミングで保留表示を第１特別態様または第２特別態様に変化させて表示することが可能であるため、保留表示の表示態様を変化させるタイミングに多様性を持たせることができるとともに、保留表示が特殊態様で表示されたときには、特定表示結果となるときに表示される割合が高い第２特別態様で表示される割合が高くなるため、期待感を高めることができ、遊技興趣を向上させることができる。